(57)【要約】【課題】  検査音の出力レベルを視覚的且つ直感的に検者に伝えることができるオージオメータを提供する。【解決手段】  被検者の聴力レベルを測定するオージオメータにおいて、検査音の出力レベルの情報を背景色の変化で表わす出力レベル表示手段を設け、この出力レベル表示手段は、液晶表示部７の画面１０に表示されるオージオグラムの背景１１の背景色を予め出力レベル範囲毎に色分けして表示する。例えば、出力レベルが８０ｄＢ未満の範囲１４では白色、出力レベルが８０ｄＢ〜１００ｄＢ未満の範囲１５では黄色、出力レベルが１００ｄＢ以上の範囲１６では赤色である。【選択図】        図３
2013176413.tif 000002
【特許請求の範囲】
【請求項１】
被検者の聴力レベルを測定するオージオメータにおいて、検査音の出力レベルの情報を画面の背景色または表示色で表わす出力レベル表示手段を設け、この出力レベル表示手段による背景色または表示色は、検査音の出力レベル範囲に応じて変化することを特徴とするオージオメータ。
【請求項２】
請求項１に記載のオージオメータにおいて、前記出力レベル表示手段が、画面の所定位置の背景の背景色を、提示中の出力レベルによって切り替えることを特徴とするオージオメータ。
【請求項３】
請求項１に記載のオージオメータにおいて、前記出力レベル表示手段が、オージオグラムの背景の背景色を予め出力レベル範囲毎に色分けして表示することを特徴とするオージオメータ。
【請求項４】
請求項１に記載のオージオメータにおいて、前記出力レベル表示手段が、出力レベルを表示している箇所の表示色を、提示中の出力レベルによって変化させることを特徴とするオージオメータ。
【発明の詳細な説明】
【技術分野】
【０００１】
本発明は、被検者に検査音を提示し、被検者の応答に基づいて被検者の聴力レベルを測定するオージオメータに関する。
【背景技術】
【０００２】
オージオメータを使用して被検者の聴力レベルを測定する際に、必要以上に大きな検査音を被検者に提示することは避けなければならない。従って、検者は被検者に対して提示している検査音の出力レベルを常に確認し、過大音を提示しないように注意しながら検査を行う必要がある。一般的な健康診断等で用いられるオージオメータの場合、被検者に提示されている検査音の出力レベルは、操作部の出力レベル調整器の指示値やレベル表示器で確認しており、出力レベルの大小は数値を読み取って判断している。
【０００３】
また、オージオグラムを表示するためのモニタ等を搭載したオージオメータでは、検査音の出力レベルのレベル表示に加え、モニタ（液晶ディスプレイ）上に表示されたオージオグラムから数値を読み取って検査音の出力レベルを確認している。
【０００４】
また、特許文献１には、検者の操作に基づいて被検者に検査音を提示し、被検者が操作する応答スイッチの出力信号に基づいた検査結果をオージオグラムとして表示画面に順次描きながら聴力検査を実行する聴力検査装置において、応答スイッチが押されているときと押されていないときとで、オージオグラムを表示する表示画面の背景色を変化させる技術が記載されている。
【先行技術文献】
【特許文献】
【０００５】
【特許文献１】特開２００２−１５３４４７号公報
【発明の概要】
【発明が解決しようとする課題】
【０００６】
しかし、従来のオージオメータにおいては、被検者に提示している検査音の出力レベルを出力レベル調整器の指示値やレベル表示器、あるいはモニタに表示されたオージオグラムの縦軸に振られている聴力レベルの数値を読み取り、それが被検者に対して必要以上に大きな検査音であるか否かを判断する必要がある。
【０００７】
オージオグラムを表示しないオージオメータにおいては、検者は常に出力レベル調整器の指示値を注視する必要がある。また、オージオグラムを表示できる機能を持ったオージオメータにおいては、検者の視線はオージオグラム上のシンボル（検査中の周波数と出力レベルを指示するマーク）に向けられることが多く、出力レベルを確認するためには、視線を出力レベル調整器の指示値などに移動させなければならない。
【０００８】
また、特許文献１には、応答スイッチが押されているときと押されていないときとで、オージオグラムを表示する表示画面の背景色を変化させる技術が記載されているが、検査音の出力レベルを確認するためには、オージオグラムの縦軸に振られている聴力レベルの数値を読む必要がある。更に、特許文献１には、被検者に対して一定レベル以上の大きな検査音が提示された場合に、検者へ何らかの警告がなされることが記載されていない。
【０００９】
本発明は、従来の技術が有するこのような問題点に鑑みてなされたものであり、その目的とするところは、検査音の出力レベルを視覚的且つ直感的に検者に伝えることができるオージオメータを提供しようとするものである。
【課題を解決するための手段】
【００１０】
上記課題を解決すべく請求項１に係る発明は、被検者の聴力レベルを測定するオージオメータにおいて、検査音の出力レベルの情報を画面の背景色または表示色で表わす出力レベル表示手段を設け、この出力レベル表示手段による背景色または表示色は、検査音の出力レベル範囲に応じて変化するものである。
【００１１】
出力レベル表示手段は、画面の所定位置の背景の背景色を提示中の出力レベルによって切り替えることができる。また、出力レベル表示手段は、オージオグラムの背景の背景色を予め出力レベル範囲毎に色分けして表示することもできる。更に、出力レベル表示手段は、出力レベルを表示している箇所の表示色を提示中の出力レベルによって変化させることもできる。
【発明の効果】
【００１２】
本発明によれば、被検者に対して一定レベル以上の大きな検査音が提示されることを文字による注意喚起のメッセージではなく、背景色または表示色の変化で表すことにより視覚的かつ直感的に検者に伝えることができるので、検者は検査に集中したまま検査音の出力レベルの情報を得ることができる。また、出力レベル表示手段による背景色または表示色は、検査音の出力レベル範囲に応じて変化するので、検者は大きな検査音が提示されることを事前に認識し、被検者に対して一定レベル以上の大きな検査音の提示を回避することができる。
【図面の簡単な説明】
【００１３】
【図１】本発明に係るオージオメータの斜視図
【図２】オージオグラムの表示機能を備えた液晶表示部の画面
【図３】オージオグラムの背景色を予め出力レベル範囲毎に色分けした場合の液晶表示部の画面
【発明を実施するための形態】
【００１４】
以下に本発明の実施の形態を添付図面に基づいて説明する。本発明に係るオージオメータは、図１に示すように、オージオメータ本体１に、気導受話器２、応答用スイッチ３を各ケーブル４，５によって電気的に接続している。そして、オージオメータ本体１には、操作パネル部６と液晶表示部７が備えられている。なお、８は電源コードである。
【００１５】
オージオメータ本体１には、液晶表示部７の画面の所定位置の背景の背景色を提示中の出力レベルによって切り替えたり、液晶表示部７に表示されるオージオグラムの背景色を予め出力レベル範囲毎に色分けして表示したり、出力レベルを表示している箇所の表示色を提示中の出力レベルによって変化させたりする出力レベル表示手段（不図示）が設けられている。
【００１６】
操作パネル部６には、検査音の周波数を切り替える複数の周波数切替スイッチ６ａと、検査音の出力レベルを切り替える回転式の出力レベル可変ダイアル６ｂと、被検者の聴力レベルを取り込む聴力レベル入力スイッチ６ｃと、検査音が提示されている時に点灯する検査音提示ランプ６ｄなどが設置されている。
【００１７】
周波数切替スイッチ６ａは、１２５Ｈｚ，２５０Ｈｚ，５００Ｈｚ，１０００Ｈｚ，２０００Ｈｚ，４０００Ｈｚ，８０００Ｈｚなど複数の周波数の検査音に対応した個数だけ設けられている。そして、その中から所望な周波数の周波数切替スイッチ６ａを選択すると、その周波数の検査音を気導受話器２から出力することができる。
【００１８】
出力レベル可変ダイアル６ｂは、回すことにより、気導受話器２から出力される検査音の出力レベルを１クリック当たり５ｄＢだけ増減することができる。そして、出力レベル可変ダイアル６ｂは、気導受話器２を介して提示される検査音に対する応答用スイッチ３による被検者の応答の有無により、検者によって操作される。
【００１９】
液晶表示部７は、図２に示すように、横軸を周波数[Ｈｚ]、縦軸を聴力レベル[ｄＢ]とした画面１０上に、四角形状の枠線１０ａを描き、この枠線１０ａ内に周波数の大きさを示す複数の縦線１０ｂと出力レベルを示す複数の横線１０ｃを描いている。
【００２０】
そして、検査音が被検者に提示され、検者が周波数切替スイッチ６ａと出力レベル可変ダイアル６ｂを操作することにより、画面１０に各周波数における聴力レベルがマーカ（シンボル）１０ｄにより縦線１０ｂ上にプロットされ、オージオグラムが作成されて表示される。
【００２１】
聴力検査を実施する場合には、先ず被検者に気導受話器２を装着させ、応答用スイッチ３を操作できる状態にし、検者は例えば１０００Ｈｚの周波数切替スイッチ６ａを選択し、出力レベル可変ダイアル６ｂを回して検査音の出力レベルを、８０ｄＢ未満の１０ｄＢに設定する（気導：右）。
【００２２】
また、オージオグラムの背景１１の背景色を切り替える代わりに、図２に示すオージオグラム周辺の領域（四角形状の枠線１０ａの外側）１２の表示色を出力レベルの大きさによって切り替えることもできる。オージオグラム周辺の領域１２の表示色は、例えば、出力レベルが８０ｄＢ未満の場合は白色、出力レベルが８０ｄＢ〜１００ｄＢ未満の場合は黄色、出力レベルが１００ｄＢ以上の場合は赤色である。
【００２３】
また、オージオグラムの背景１１の背景色を切り替える代わりに、図３に示すように、オージオグラムの背景１１の背景色を予め出力レベルの範囲毎に色分けして表示することもできる。オージオグラムの背景１１の背景色は、例えば、出力レベルが８０ｄＢ未満の範囲１４では白色、出力レベルが８０ｄＢ〜１００ｄＢ未満の範囲１５では黄色、出力レベルが１００ｄＢ以上の範囲１６では赤色とすることができる。検者はマーカ（シンボル）１０ｄが位置する箇所の背景色を見れば、容易に出力レベルの状態を認識することができる。
【００２４】
オージオグラムを表示しないオージオメータについては、出力レベルを表示している箇所（例えば、検査音提示ランプ６ｄ）を、検査音の出力レベル範囲によって表示色を色分けして点灯させることができる。
【００２５】
このように、被検者に対して提示される検査音の出力レベルの大きさを、文字による注意喚起のメッセージではなく、オージオグラムの背景１１の背景色または出力レベルを表示している箇所（例えば、検査音提示ランプ６ｄ）の表示色の変化で表すことにより、視覚的かつ直感的に検者に伝えることができる。
【産業上の利用可能性】
【００２６】
本発明によれば、検査音の出力レベルの大きさをオージオグラムの背景色または出力レベルの状態を示す表示色の変化で視覚的かつ直感的に検者に伝えることにより、検者の負担を軽減することが可能な操作性のよいオージオメータを提供することができる。
【符号の説明】
【００２７】
１…オージオメータ本体、２…気導受話器、３…応答用スイッチ、６…操作パネル部、６ａ…周波数切替スイッチ、６ｂ…出力レベル可変ダイアル、６ｃ…聴力レベル入力スイッチ、６ｄ…検査音提示ランプ、７…液晶表示部、１０…画面、１０ａ…枠線、１０ｂ…縦線、１０ｃ…横線、１１…オージオグラムの背景、１２…オージオグラム周辺の領域、１４，１５，１６…出力レベルの範囲。
【図１】
2013176413.tif 000003
【図２】
2013176413.tif 000004
【図３】
2013176413.tif 000005